(57)【要約】【課題】高い集塵効率が見込める複数回使用可能な電気掃除機の集塵袋を提供することを目的とする。【解決手段】通気性のある濾材を袋状に形成し、一端に吸塵口３と他端に開口縁を折り曲げた封止部５を有する袋部２と、前記吸塵口３と連通した開口部７を有し前記袋部２に接着された支持板６と、前記封止部５を押さえ着脱自在に取り付けられたクリップ８を備え、前記濾材は１０μｍ以下の孔を有した多孔膜の内層と合成繊維の外層から構成される電気掃除機用集塵袋で、高い集塵効率が見込め、かつ複数回使用可能である。【選択図】　図１
2004065358.tif 000002
【特許請求の範囲】
【請求項１】
通気性のある濾材を袋状に形成し、一端に吸塵口と他端に開口縁を折り曲げた封止部を有する袋部と、前記吸塵口と連通した開口部を有し前記袋部に接着された支持板と、前記封止部を押さえ着脱自在に取り付けられたクリップを備え、前記濾材は１０μｍ以下の孔を有した多孔膜の内層と合成繊維の外層から構成される電気掃除機用集塵袋。
【請求項２】
通気性のある濾材を袋状に形成し、一端に吸塵口と他端に開口縁を折り曲げた封止部を有する袋部と、前記吸塵口と連通した開口部を有し前記袋部に接着された支持板と、前記封止部に接着等で取り付けられたマジックテープを備え、前記濾材は１０μｍ以下の孔を有した多孔膜の内層と合成繊維の外層から構成される電気掃除機用集塵袋。
【請求項３】
内層の内側に、孔径が５０μｍ以下の内袋を設けた請求項１または２項記載の電気掃除機用集塵袋。
【請求項４】
袋部はガゼット構成を有する請求項１〜３項のいずれか１項に記載の電気掃除機用集塵袋。
【請求項５】
袋部は支持板に近接する方向に折り曲げた折り曲げ部を有する請求項４記載の電気掃除機用集塵袋。
【請求項６】
袋部は、通気性のある濾材を長手方向に筒状に一体成形し、一端を袋状に接着または溶着して形成した吸塵口を有する請求項１〜５項のいずれか１項に記載の電気掃除機用集塵袋。
【請求項７】
外層を不織布とした請求項１〜６のいずれか１項に記載の電気掃除機用集塵袋。
【請求項８】
内袋を不織布とした請求項３〜７のいずれか１項に記載の電気掃除機用集塵袋。
【請求項９】
内袋に銀錯体を練りこんだ請求項３〜８のいずれか１項記載の電気掃除機用集塵袋。
【発明の詳細な説明】
【０００１】
【発明の属する技術分野】
本発明は、集塵袋より塵埃を捨てることで複数回使用可能な電気掃除機用の集塵袋に関するものである。
【０００２】
【従来の技術】
従来の電気掃除機を、図５、図６を用いて説明する。
【０００３】
集塵袋は複数回使用可能なタイプ５１と、使い捨てタイプ５２がある。図５に示すような複数回使用可能なタイプ５１は、袋部５３に通気性のある不織布等でできた布製を縫製により袋状に形成し、一端に吸塵口５４と、他端に開口縁５５を折り曲げた封止部５６よりなる。支持板５７は吸塵口５４と連通した開口部５８を持ち袋部５３にリベット（図示せず）等で機械的に固定される。またクリップ６０は、樹脂等で成形され封止部５６を押さえ塵埃の漏れを防ぐためのもので、袋部５３に着脱自在に取り付けられる。塵埃が袋部５３に蓄積するか、不織布が目詰まりした時点で掃除機より取り出し、クリップ６０を外し内部にたまった塵埃を捨てる。複数回使用可能なタイプ５１は袋部５３が汚れると水洗いをすることができる。また、袋部５３に通気性のある紙を濾材に用いているものもある。
【０００４】
また、図６に示すように使い捨てタイプ５２は、袋部６１に通気性のある紙を濾剤とし、接着等で筒状にし、その両開口端６２を折り曲げ、接着により袋を形成している。支持板６３も紙製で、袋部６１に設けられた吸塵口６２と連通した開口部６４を持ち袋部６１に接着されている。塵埃が袋部６１に蓄積するか、紙が目詰まりした時点で掃除機より取り出し塵埃と共に捨てられる。近年の使い捨てタイプ５２は集塵効率を向上させるために濾材にエレクトレット化したメルトブロー不織布を用いた積層濾材を使用しているものが多く、また衛生面やにおいの発生の防止のため、抗菌剤や防虫剤を内層に添加しているものもある。
【０００５】
【発明が解決しようとする課題】
上記従来の電気掃除機の集塵袋においては、複数回使用可能なタイプでは袋部の不織布の集塵効率がエレクトレット化したタイプと比較して低い。また水洗いによって不織布の中に堆積した微細な塵埃を完全取り除くことは困難であり、洗いすぎると繊維を傷めるため、使用していくうちに集塵効率が未使用時と比較して低下することがある。使い捨てタイプでは、エレクトレット化した濾材により高い集塵効率が見込めるが、エレクトレットによる塵埃の捕集量は有限で、また水洗いで塵埃を取り除くことは不可能で繰り返しの使用が出来ず経済的でない。
【０００６】
本発明は、以上のような従来の課題を解決するものであって、高い集塵効率が見込める複数回使用可能な電気掃除機の集塵袋を提供することを目的とする。
【０００７】
【課題を解決するための手段】
上記目的を達成するために本発明は、通気性のある濾材を袋状に形成し、一端に吸塵口と他端に開口縁を折り曲げた封止部を有する袋部と、前記吸塵口と連通した開口部を有し前記袋部に接着された支持板と、前記封止部を押さえ着脱自在に取り付けられたクリップを備え、前記濾材は１０μｍ以下の孔を有した多孔膜の内層と合成繊維の外層から構成される電気掃除機用集塵袋で、高い集塵効率が見込め、かつ複数回使用可能である。
【０００８】
【発明の実施の形態】
本発明の請求項１記載の発明は、通気性のある濾材を袋状に形成し、一端に吸塵口と他端に開口縁を折り曲げた封止部を有する袋部と、前記吸塵口と連通した開口部を有し前記袋部に接着された支持板と、前記封止部を押さえ着脱自在に取り付けられたクリップを備え、前記濾材は１０μｍ以下の孔を有した多孔膜の内層と合成繊維の外層から構成される電気掃除機用集塵袋で、高い集塵効率が見込め、かつ複数回使用可能である。
【０００９】
本発明の請求項２記載の発明は、通気性のある濾材を袋状に形成し、一端に吸塵口と他端に開口縁を折り曲げた封止部を有する袋部と、前記吸塵口と連通した開口部を有し前記袋部に接着された支持板と、前記封止部に接着等で取り付けられたマジックテープを備え、前記濾材は１０μｍ以下の孔を有した多孔膜の内層と合成繊維の外層から構成される電気掃除機用集塵袋で、集塵袋が一体で部品の紛失の可能性が無い。
【００１０】
本発明の請求項３記載の発明は、内層の内側に、孔径が５０μｍ以下の内袋を設けた電気掃除機用集塵袋で、大きな塵埃を捕集することができる。
【００１１】
本発明の請求項４記載の発明は、袋部はガゼット構成を有する電気掃除機用集塵袋で、塵埃の捕集面積を広げることができる。
【００１２】
本発明の請求項５記載の発明は、袋部は支持板に近接する方向に折り曲げた折り曲げ部を有する電気掃除機用集塵袋で、掃除機本体に挿入しやすく、また掃除基本体内で袋部が均一に広がりやすい。
【００１３】
本発明の請求項６記載の発明は、袋部は、通気性のある濾材を長手方向に筒状に一体成形し、一端を袋状に接着または溶着して形成した吸塵口を有する電気掃除機用集塵袋で、塵埃の漏れを防ぐことができる。
【００１４】
本発明の請求項７記載の発明は、外層を不織布とした電気掃除機用集塵袋で、安価である。
【００１５】
本発明の請求項８記載の発明は、内袋を不織布とした電気掃除機用集塵袋で、安価である。
【００１６】
本発明の請求項９記載の発明は、内袋に銀錯体を練りこんだ電気掃除機用集塵袋で、袋内部の雑菌の繁殖を防ぐことができる。
【００１７】
【実施例】
（実施例１）
以下本発明の第１の実施例を、図１〜図３を用いて説明する。
【００１８】
集塵袋１の袋部２は通気性のある濾材を袋状に形成し、一端に吸塵口３と、他端に開口縁４を折り曲げた封止部５よりなる。支持板６は樹脂により成形され吸塵口３と連通した開口部７を持ち袋部２に接着等で固定される。また、リベット（図示せず）等で機械的にとめることも可能である。クリップ８は樹脂等で成形され封止部５を押さえ塵埃の漏れを防ぐためのもので、袋部２に着脱自在に取り付けられる。
【００１９】
塵埃が袋部２に蓄積した時点で掃除機より取り出し、クッリプ８を外し内部に蓄積した塵埃を捨てることで繰り返し使用することができる。袋部２の濾材は、内部より内袋９と積層材１０とからなり、内袋９は破裂強度に優れ、大きな塵埃から微細塵の一部まで捕集できるように最大孔径が５０μｍ程度の通気性の良い不織布が使用される。また、内袋９は直接塵埃に接触するため、銀錯体等の抗菌材を練り込んであり抗菌効果をもつ。次に積層材１０は１０μｍ以下の孔を有した多孔膜の内層１１と破裂強度の高い不織布の外層１２からなる。内層１１は薄い多孔膜であるため内袋９により塵埃の衝突等の破損から守られ、主な目的はセメント、ダニの死骸、花粉等の微細塵を捕集することである。外層１２はポリプロピレン、ポリエチレン、ＰＥＴ等の合成繊維からなり、内層１１とラミネート等により接合され内層１１の強度不足を補完している。内袋９と外層１２は繊維を織り込んだ濾材でも良い。袋部２の形成は、長手方向に筒状に一体成形したもの開口縁の一端を折り曲げ接着し袋部２の底を作り吸塵口３を空けた。単純に開口縁を熱溶着や接着によって塞いでもよいが、掃除機内での袋部２の広がり方を考えると前述が良い。集塵袋１の目詰まりを低減させるため、袋部の総面積を増やす必要がある。そのため、長手方向、いわゆる吸引方向に膨らむように少なくともひとつ以上のガゼット１３構成を持たせる。収納性や安定して袋部２が掃除機内で開くよう、袋部２を折りたたんで扁平の状態にし、長手方向を支持板６に近接するよう少なくとも一箇所以上折り１４を設けている。塵埃が蓄積すると掃除機より集塵袋１を取り出しクリップ８を外し、塵埃を捨てる。また、集塵袋１はポリプロピレン等の合成繊維で出来ているため水洗いも可能であるし、内層１１は水滴が１００μｍであるように撥水効果があり、塵離れも良好なので、水洗いや繰り返しの使用によって集塵効率の低下が少ない。
【００２０】
（実施例２）
以下本発明の第２の実施例を、図４を用いて説明する。なお、上記実施例と同一の部品については同一符号を付してその説明を省略する。
【００２１】
袋部２の封止部５に接着等でマジックテープ１４を固定し、封止部５が開くのを防止している。マジックテープ１４を外すだけで、塵埃を容易に捨てることができる。
【００２２】
【発明の効果】
本発明によれば、高い集塵効率が見込める複数回使用可能な電気掃除機の集塵袋を提供できる。
【図面の簡単な説明】
【図１】本発明の第１の実施例を示す電気掃除機の集塵袋の斜視図
【図２】同電気掃除機の集塵袋を折りたたんだときの斜視図
【図３】同電気掃除機の集塵袋の断面図
【図４】本発明の第２の実施例を示す電気掃除機の集塵袋の部分斜視図
【図５】従来の電気掃除機の集塵袋の斜視図
【図６】同他の電気掃除機の集塵袋の斜視図
【符号の説明】
１　集塵袋
２　袋部
３　吸塵口
４　開口縁
５　封止部
６　支持板
７　開口部
８　クリップ
９　内袋
１０　積層材
１１　内層
１２　外層
１３　ガゼット
１４　マジックテープ
【図１】
2004065358.tif 000003
【図２】
2004065358.tif 000004
【図３】
2004065358.tif 000005
【図４】
2004065358.tif 000006
【図５】
2004065358.tif 000007
【図６】
2004065358.tif 000008